(57)【要約】　　　（修正有）【課題】モニタの同一表示画面上に複数のＷｅｂページを３Ｄ表示する場合には、そのＷｅｂページは縮小して表示しなければならないため、そのコンテンツの可読性が低下するという問題が生じていた。そこで、複数のＷｅｂページの表示を見やすいものとする。【解決手段】Ｗｅｂサーバ１０から取り込んだ複数のＨＴＭＬ文書に記載されたタグ命令に基づいて、そのコンテンツの表示サイズが許容範囲無いにあるか否かを判定し、教養範囲に無い場合、Ｗｅｂサーバ１０から呼び出すコンテンツを許容範囲に収まるように変更した後、Ｗｅｂページを表示する。【選択図】　　　　図２
2004062465.tif 000002
【特許請求の範囲】
【請求項１】
複数のＷｅｂページを情報処理装置の表示画面に表示する方法において、該情報処理装置は、
複数のＷｅｂページで使用するコンテンツの前記表示画面での表示サイズの許容範囲が予め定められており、表示の対象の複数のＷｅｂページに記載されたタグ命令に基づいて、表示の対象のＷｅｂページの各々で使用するコンテンツの表示サイズが前記許容範囲内にあるか否かを判定し、
許容範囲にないとの判定が得られたＷｅｂページについては、前記許容範囲に収まるように該Ｗｅｂページに記載されたタグ命令を変更し、
前記許容範囲に収まるようにＷｅｂページで使用するコンテンツの内容を変更する
ことを特徴とするＷｅｂページの表示方法。
【請求項２】
請求項１に記載のＷｅｂページの表示方法において、前記Ｗｅｂページに記載されたタグ命令を変更する処理の中には、前記コンテンツの表示サイズが許容範囲にないタグ命令を削除する処理が含まれることを特徴とするＷｅｂページの表示方法。
【請求項３】
請求項１に記載のＷｅｂページの表示方法において、前記Ｗｅｂページを３Ｄ表示可能であり、該Ｗｅｂページの仮想空間上の位置に応じて前記許容範囲を可変設定することを特徴とするＷｅｂページの表示方法。
【請求項４】
複数のＷｅｂページを表示画面に表示する表示装置において、
複数のＷｅｂページで使用するコンテンツの前記表示画面での表示サイズの許容範囲が予め定められており、表示の対象の複数のＷｅｂページに記載されたタグ命令に基づいて、表示の対象のＷｅｂページの各々で使用するコンテンツの表示サイズが前記許容範囲内にあるか否かを判定する判定手段と、
許容範囲にないとの判定が得られたＷｅｂページについては、前記許容範囲に収まるように該Ｗｅｂページに記載されたタグ命令を変更する手段と、
前記許容範囲に収まるようにＷｅｂページで使用するコンテンツの内容を変更する手段と
を備えたことを特徴とするＷｅｂページの表示装置。
【請求項５】
請求項４に記載のＷｅｂページの表示装置において、前記Ｗｅｂページに記載されたタグ命令を変更する処理の中には、前記コンテンツの表示サイズが許容範囲にないタグ命令を削除する処理が含まれることを特徴とするＷｅｂページの表示装置。
【請求項６】
請求項４に記載のＷｅｂページの表示装置において、前記Ｗｅｂページを３Ｄ表示可能であり、該Ｗｅｂページの仮想空間上の位置に応じて前記許容範囲を可変設定する手段をさらに備えたことを特徴とするＷｅｂページの表示装置。
【発明の詳細な説明】
【０００１】
【発明の属する技術分野】
本発明は、インターネット上のホームページやエレクトリック・コマース（ＥＣ）における商品表示画像データを端末画面の３次元（３Ｄと表記することがある）空間上に表示する場合に好適なＷｅｂページの表示方法および装置に関する。
【０００２】
【従来の技術】
端末により複数のＷｅｂページをＷｅｂサーバから取り込み、取り込んだ複数のＷｅｂページを端末の表示画面に３Ｄ表示する技術が知られている。
【０００３】
端末でＷｅｂページを表示するための処理手順を図１を参照して説明する。
【０００４】
Ｗｅｂサーバ１０にはＷｅｂページすなわち、一般的にはブラウザ（インターネットエクスプローラ（商標）等）などにより表示するＨＴＭＬ文書が格納されている。
【０００５】
３Ｄ表示端末の画像要求処理部１１０は予め用意されている要求コンテンツリスト１１５に記載されたＵＲＬをＨＴＭＬレンダラー３０に引渡す。ＨＴＭＬレンダラー３０はＷｅｂページについて３Ｄ表示用の静止画像を作成するサーバである。
【０００６】
ＨＴＭＬレンダラー３０は、３Ｄ表示端末１００からＵＲＬの形態で要求されたＨＴＭＬ文書およびそのＨＴＭＬ文書で取扱う静止画像や動画，場合によってはテキスト文書（コンテンツと総称する）をＵＲＬで指定されたＷｅｂサーバ１０（第１〜第３のＷｅｂサーバのいずれか）から取り込む。
【０００７】
ＨＴＭＬレンダラー３０は、取り込んだＨＴＭＬ文書を使用して、このＨＴＭＬ文書をブラウザで表示画面に表示させたようなＷｅｂページの静止画像（ユーザが目で見る状態の静止画像）を作成する。
【０００８】
作成された３Ｄ表示用画像は３Ｄ表示端末１００の画像要求処理部１１０を介して３Ｄ表示部１２０に引渡される。３Ｄ表示部１２０は予め用意されている配置情報リスト１３０に基づき、３次元空間上に上記３Ｄ表示用静止画像を配置し、その静止画像をモニタ１４０の表示画面に３Ｄ表示する。配置情報リスト１３０はＵＲＬに対応させて、３次元空間情報の位置を記載したリストである。
【０００９】
ここでＨＴＭＬ文書のようなマークアップランゲージ文書について説明しておく。
ＨＴＭＬ文書にはタグと呼ばれる種々の命令が記載されている。
文字に関するタグとしては、フォントの種類、大きさ、表示位置、表示する文字列内容などを規定する命令がある。
【００１０】
静止画像（静止画）や動画像（動画）を端末の表示画面に表示させる場合には、静止画像や動画が格納されている場所（いわゆるＵＲＬ）と表示位置などを定義し、上記静止画像や動画像をＷｅｂサーバ１０から呼び出すためのタグがＨＴＭＬ文書に記載される。
【００１１】
本発明とは直接的には関係がないが、ボタン、文字列入力欄等を定義するタグなどもよく知られている。
【００１２】
このようなＨＴＭＬ文書を３Ｄ表示用画像に変換する場合は、最初に、ＨＴＭＬ文書を表示する場合と同様の２次元表示画像が作成される。より詳細には、文字列については、タグで定義されている文字コード列から文字列イメージが作成される。静止画像や動画像は指定されたＵＲＬに基づきそれらを格納しているＷｅｂサーバから取り込まれる。このようにして取得した文字列イメージ、静止画像、動画像は端末のメモリ上で、表示位置に対応させて配置される。
【００１３】
このようにして作成された２次元用イメージが、３Ｄ表示用イメージに変換される。３Ｄ表示用イメージは仮想３次元空間上の特定のカメラ視点から上記２次元用イメージを見たイメージであり、その作成処理はよく知られているので、詳細な説明を要しないであろう。
【００１４】
このようにして作成された複数の３Ｄ表示用イメージがメモリ上の仮想３次元空間に配置された後、モニタ１４０に表示されると、ユーザは、複数のＷｅｂを同一表示画面上で同時に見ることができる。
【００１５】
【発明が解決しようとする課題】
このようなコンテンツ（文字列、静止画像、動画像等）を表示する方法は、タグ命令が記載されているＨＴＭＬ文書を静止画像の画像データ（表示画面上の各画素の表示データからなる１画面分の画像データ、ビットマップデータと呼ばれる）に変換するので、画像変換装置（この場合、ＨＴＭＬレンダラー３０）の処理の負担が高くなる。また、このようなコンテンツを同一画面上に表示するのに時間がかかるという問題がある。
【００１６】
さらに、モニタ１４０の同一表示画面上に複数のＷｅｂページを３Ｄ表示する場合には、そのＷｅｂページは縮小して表示しなければならないことが多い。
【００１７】
このため、ユーザが表示されたＷｅｂページの３Ｄ表示を見ると、各コンテンツも縮小されてしまうので、そのコンテンツの可読性が低下するという問題が生じていた。
【００１８】
そこで、本発明の目的は、上述の点に鑑みて、複数のＷｅｂページの表示に際し、コンテンツの可読性を向上させることが可能なＷｅｂページの表示方法および装置を提供することにある。
【００１９】
【課題を解決するための手段】
このような目的を達成するために、請求項１の発明は、複数のＷｅｂページを情報処理装置の表示画面に表示する方法において、該情報処理装置は、複数のＷｅｂページで使用するコンテンツの前記表示画面での表示サイズの許容範囲が予め定められており、表示の対象の複数のＷｅｂページに記載されたタグ命令に基づいて、表示の対象のＷｅｂページの各々で使用するコンテンツの表示サイズが前記許容範囲内にあるか否かを判定し、許容範囲にないとの判定が得られたＷｅｂページについては、前記許容範囲に収まるように該Ｗｅｂページに記載されたタグ命令を変更し、前記許容範囲に収まるようにＷｅｂページで使用するコンテンツの内容を変更することを特徴とする。
【００２０】
請求項２の発明は、請求項１に記載のＷｅｂページの表示方法において、前記Ｗｅｂページに記載されたタグ命令を変更する処理の中には、前記コンテンツの表示サイズが許容範囲にないタグ命令を削除する処理が含まれることを特徴とする。
【００２１】
請求項３の発明は、請求項１に記載のＷｅｂページの表示方法において、前記Ｗｅｂページを３Ｄ表示可能であり、該Ｗｅｂページの仮想空間上の位置に応じて前記許容範囲を可変設定することを特徴とする。
【００２２】
請求項４の発明は、複数のＷｅｂページを表示画面に表示する表示装置において、複数のＷｅｂページで使用するコンテンツの前記表示画面での表示サイズの許容範囲が予め定められており、表示の対象の複数のＷｅｂページに記載されたタグ命令に基づいて、表示の対象のＷｅｂページの各々で使用するコンテンツの表示サイズが前記許容範囲内にあるか否かを判定する判定手段と、許容範囲にないとの判定が得られたＷｅｂページについては、前記許容範囲に収まるように該Ｗｅｂページに記載されたタグ命令を変更する手段と、前記許容範囲に収まるようにＷｅｂページで使用するコンテンツの内容を変更する手段とを備えたことを特徴とする。
【００２３】
請求項５の発明は、請求項４に記載のＷｅｂページの表示装置において、前記Ｗｅｂページに記載されたタグ命令を変更する処理の中には、前記コンテンツの表示サイズが許容範囲にないタグ命令を削除する処理が含まれることを特徴とする。
【００２４】
請求項６の発明は、請求項４に記載のＷｅｂページの表示装置において、前記Ｗｅｂページを３Ｄ表示可能であり、該Ｗｅｂページの仮想空間上の位置に応じて前記許容範囲を可変設定する手段をさらに備えたことを特徴とする。
【００２５】
【発明の実施の形態】
以下、図面を参照して本発明の実施形態を詳細に説明する。
（第１の実施形態）
本発明の実施形態のＷｅｂページの表示方法を図２を参照して説明する。図２において、図１の従来例とほぼ同様の個所には同一の符号を付しており、詳細な説明を省略する。第１の実施形態は、３Ｄ表示端末２００において、３Ｄ表示部１２０と画像要求処理部１１０の間にＨＴＭＬ簡易化部２１０および３Ｄ形式変換部２２０が設けられている。ＨＴＭＬ簡易化部２１０は、Ｗｅｂページを３Ｄ表示した際に、ユーザがそれを可読できるように、Ｗｅｂサーバ１０から取り込んだＨＴＭＬ文書に記載されているタグ命令の内容を変更する。この処理については後で、詳細に説明する。３Ｄ形式変換部２２０は変更されたＨＴＭＬ文書に基づいて３Ｄ表示用イメージを作成する。３Ｄ形式変換部２２０の機能は、図１のＨＴＭＬレンダラー３０の３Ｄ表示用イメージの作成機能と同様である。また、画像要求処理部１１０、ＨＴＭＬ簡易化部２１０、３Ｄ形式変換部２２０および３Ｄ表示部１２０はプログラムにより実現される。
【００２６】
３Ｄ表示端末２００の動作を次に説明する。
要求コンテンツリスト１１５に記載されたＵＲＬに格納されたＷｅｂページを画像要求処理部１１０によりＷｅｂサーバ１０から取り込む。取り込まれたＷｅｂページを２次元表示させた状態の一例を図３（ａ）に示した。取り込まれたＷｅｂページは、ＨＴＭＬ簡易化部２１０により、その２次元表示状態が図３の（ｂ）に模式的に示すような書式の許容範囲に合致するタグ命令が取り込まれたＷｅｂページから抽出されて、表示すべきＨＴＭＬ文書で使用される。また、タグ命令は許容範囲に合致するものだけが抽出（選択）されるか、あるいは、許容範囲に収まるようにタグ命令の中の表示サイズに関するパラメータあるいは表示すべきコンテンツそのものが変更される。図３（ａ）のＷｅｂページについて変更されたＨＴＭＬ文書の主要部分のタグ命令に記載すべき表示サイズに関連する内容の構成を図３（ｃ）に示した。
【００２７】
変更されたＨＴＭＬ文書に基づいて３Ｄ形式変換部２２０により３Ｄ表示用イメージが作成（変換）されて、３Ｄ表示部１２０を介してモニタ１４０の表示画面に図３の（ｄ）のように表示される。
【００２８】
次にＨＴＭＬ文書の簡易化処理の一例について説明する。本実施形態では、取り込んだＨＴＭＬ文書（オリジナルＨＴＭＬ文書と総称する）の中から必要なタグ命令を抽出して３Ｄ変換に使用するＨＴＭＬ文書（変更後のＨＴＭＬ文書と呼ぶことにする）を作成する例を説明する。
【００２９】
（Ａ）タグ命令で定義される表示のための文字列については、
（１）変更後のＨＴＭＬ文書中のタイトル部（表示画面上の最上部に表示される）の文字列についてはその文字数を３０文字以下に制限する。このためには、たとえば、オリジナルＨＴＭＬ文書中のタイトル部の先頭から３１文字目以降の表示用文字列を使用しないようにすればよい。
（２）表示の位置に係わらず、表示の文字の大きさが予め定めた大きさよりも大きい表示用文字列に関するタグ命令をオリジナルＨＴＭＬ文書から抽出して変更後のＨＴＭＬ文書中に記載する。予め定めた大きさよりも小さい表示用文字列がオリジナルＨＴＭＬ文書中に記載されていてもその文字列に関するタグ命令あるいは文字列のコンテンツそのものは変更後のＨＴＭＬ文書中には記載しない。抽出する文字列の組数は２組に制限するとよい。
文字の大きさに関するタグ命令の中には、文字サイズを指定する数値が含まれているので、その数値を所定値と比較することにより上記（２）の処理を実現することができる。
（３）上記以外で１００文字以上の表示用文字列がＨＴＭＬ文書中に記載されている場合には先頭から１００文字をオリジナルＨＴＭＬ文書から抽出して、変更後のＨＴＭＬ文書に記載する。抽出する文字列数はたとえば、先頭の１組に制限するとよい。
【００３０】
（Ｂ）静止画については、
（１）表示する静止画をＷｅｂサーバ１０から呼び出すためのタグの中に表示サイズ（幅と高さ）を示す数値が含まれているので、オリジナルＨＴＭＬ文書の上記タグの中の数値を所定値とそれぞれ幅と高さについて比較する。幅または高さが所定値（たとえば、１００ドット）より大きい画像については、その画像を呼び出すためのタグ命令をオリジナルＨＴＭＬ文書から抽出して変更後のＨＴＭＬ文書中に記載する。
（２）オリジナルＨＴＭＬ文書中の上記タグの中に表示サイズを定義する値が含まれていない場合には、静止画を呼び出すためのタグを、先頭を含め、先頭から２つのタグを抽出し、変更後のＨＴＭＬ文書中に記載する。
（３）オリジナルＨＴＭＬ文書中の上記タグの表示サイズを比較し、所定サイズ（たとえば、２００ドット×２００ドット）を超える場合は、表示サイズを２００ドット×２００ドットに変更するべく、表示すべき静止画像を縮小する。
（４）オリジナル文書中の幅および高さの縦横比を計算し、その縦横比が、たとえば、“４”以上の場合は、その静止画が広告の可能性があるので、変更後のＨＴＭＬ文書にはその静止画の呼び出し用のタグを記載しない。
【００３１】
（Ｃ）動画像については、
（１）オリジナルＨＴＭＬ文書中の、動画像を呼び出すタグの中の表示サイズ（幅および高さ）の数値を所定値（たとえば、１００ドット）とそれぞれ比較する。所定値を超える表示サイズを有するタグ命令の中で大きいものから２つをオリジナルのＨＴＭＬ文書から抽出して変更後のＨＴＭＬ文書に記載する。
（２）動画の表示サイズが所定値（たとえば、２００ドット×２００ドット）を超えるタグ命令については表示サイズを２００ドット×２００ドットにすべく、表示用の動画像を縮小する。
【００３２】
（Ｄ）その他のタグ命令については、
オリジナルＨＴＭＬ文書に記載されたタグ命令、たとえば、背景やページレイアウトに関する情報はそのまま、オリジナルＨＴＭＬ文書から抽出して、変更後のＨＴＭＬ文書に記載する。
【００３３】
以上の許容範囲の内容に基づいて、図３（ａ）の表示状態のオリジナルＨＴＭＬ文書については、
（ａ）オリジナルＨＴＭＬ文書のタイトル部分の文字コンテンツ（文字０）は３０文字以内の文字列０’となるようにタグ命令が変更される。なお、文字の大きさは変更されない。
（ｂ）さらに、オリジナルＨＴＭＬ文書（図３（ａ））の文字の大きさが所定値以下の文字１に関するタグ命令は、変更後のＨＴＭＬ文書には記載されないので（図３（ｂ）参照）。
（Ｃ）オリジナルＨＴＭＬ文書の中の表示サイズが大きい動画１、画像３は、タグ命令中の表示サイズが変更されると共に、動画１、画像２、３そのものも縮小されて動画１’、画像２’、３’となる（図３（ｂ）参照）。
（Ｄ）オリジナルＨＴＭＬ文書中の画像１は縦横比が許容範囲内にないので、変更後のＨＴＭＬ文書には記載されない（図３（ｂ）参照）。
【００３４】
以上の処理を上位概念的にまとめた処理手順を図７に示す。この処理手順のステップＳ１０は画像要求処理部１１０が実行する処理であり、Ｓ２０〜Ｓ４０の処理がＨＴＭＬ簡易化部２１０が実行する処理である。また、これらの処理を実行するためのプログラムは当業者であれば、上記説明に基づいて作成することが可能であるので、プログラムの詳細については説明を省略する。
【００３５】
図７において、要求コンテンツリスト１１５に基づいてＷｅｂページ（ＨＴＭＬ文書）が画像要求処理部１１０により取り込まれると（Ｓ１０）、ＨＴＭＬ簡易化部２１０は、表示の対象の複数のＷｅｂページ（取り込まれたＨＴＭＬ文書）に記載されたタグ命令に基づいて、表示の対象のＷｅｂページの各々で使用するコンテンツの表示サイズが前記許容範囲内にあるか否かを判定し（Ｓ２０）、許容範囲にないとの判定が得られたＷｅｂページについては、前記許容範囲に収まるように該Ｗｅｂページに記載されたタグ命令を変更し（Ｓ３０）、前記許容範囲に収まるようにＷｅｂページで使用するコンテンツの内容を変更（縮小／拡大）する（Ｓ４０）。
【００３６】
（第２の実施形態）
第１の実施形態は、Ｗｅｂページの表示サイズが固定されていることを前提にしているので、タグ命令およびコンテンツの表示サイズに係わる許容範囲も固定である。表示画面上にＷｅｂページを３Ｄ表示する場合、仮想空間上、ユーザ側から見て手前のＷｅｂページは大きく表示され、奥に位置するＷｅｂページは小さく表示される。このため、奥に位置するＷｅｂページのコンテンツは小さく表示されて見にくいものとなる。そこで、仮想空間上のＷｅｂページの位置に応じて、表示サイズに係わる許容範囲を可変設定して、コンテンツを見やすくするようにした第２実施形態を次に説明する。
【００３７】
本発明の第２実施形態の処理内容を図４に示す。図４において、図１の従来例および図２の第１の実施形態と同様の個所には同一の符号を付しており、詳細な説明を省略する。
【００３８】
図４において、３１０は表示サイズ算出部であり、配置情報リスト１３０のＷｅｂページの３次元空間上の位置情報、特に、奥行き方向の位置Ｚを示す位置情報に基づいて、３Ｄ表示すべきＷｅｂページの書式を算出する。２１０はＨＴＭＬ簡易化部であり、表示サイズ算出部３１０で算出された書式に、Ｗｅｂサーバから取り込まれたＷｅｂページ（ＨＴＭＬ文書）を変更する。
【００３９】
変更されたＷｅｂページに基づいて３Ｄ形式変換部２２０により３Ｄ表示用イメージが作成されてモニタ１４０に表示される点は第１の実施形態と同様である。表示サイズ算出部３１０もプログラムにより実現される。
【００４０】
表示サイズ算出部３１０はこの例では２種類の表示サイズの許容範囲を有しており、表示画面の手前にＷｅｂページを配置する場合の表示サイズの第１の許容範囲と奥にＷｅｂを表示する場合の表示サイズの第２の許容範囲とを規定したテーブル等を有している。
【００４１】
表示サイズの第１の許容範囲（第１の簡易化書式）を以下に説明する。
（１）オリジナルＨＴＭＬ文書で規定された表示の文字列の中で以下の条件（許容範囲）に合致する文字列およびその文字列を表示するためのタグ命令がオリジナルＨＴＭＬ文書から抽出されて変更後のＨＴＭＬ文書に記載される。
・オリジナルＨＴＭＬ文書のヘッダ部分の文字列を抽出し、抽出する文字列は４０文字以内に制限する。
・オリジナル文書中で定義された、表示すべき文字列の大きさが、所定の大きさを超える場合、たとえば、Ｈ１〜Ｈ３の範囲にある文字列をオリジナルＨＴＭＬ文書から抽出し変更後のＨＴＭＬ文書に記載する。抽出する文字列の組数は４組に制限する。また、個々の文字列の文字数は４０文字以内に制限する。
・２００文字を超える文字列については文字列の先頭から２００文字まで抽出する。抽出する文字列の組数は２までとする。
・抽出した文字列の文字の大きさは１０ポイントとする。
【００４２】
手前に表示するＷｅｂページの方が奥に表示するＷＥＢページよりも文字数については多く、文字の大きさについては小さく表示サイズの許容範囲が定められていることに留意されたい。これにより、奥に表示するＷｅｂページの文字が小さくて見にくくなることはない。
【００４３】
（２）静止画像は、オリジナルＨＴＭＬ文書から次のように抽出して変更後のＨＴＭＬ文書に記載する。
・静止画像をＷｅｂサーバ１０から呼び出すためのタグ命令（ｉｍａｇタグ）の中の幅および高さに関する数値が“１００”以上であるタグ命令を抽出する。抽出するタグ命令の個数はサイズの大きい順で２つに制限する。
・ｉｍａｇタグ命令の中に幅および高さを規定する数値がオリジナルＨＴＭＬ文書中に記載されていない場合にはオリジナルＨＴＭＬ文書の先頭から２つのｉｍａｇタグ命令を抽出する。
・１つの静止画像のサイズが２００ドット×２００ドット以上の場合には、ｉｍａｇタグ命令で呼び出す静止画像を２００ドット×２００に縮小する。
【００４４】
（３）動画像については以下のようにしてオリジナルＨＴＭＬ文書から抽出して変更後のＨＴＭＬ文書に記載する。
・呼び出した動画像自体が持つ表示サイズ情報（幅および高さ）あるいは、タグ命令が有する表示サイズ情報に基づいて表示サイズが１００ドット×１００ドット以上の動画像を表示させるべく、そのためのタグ命令をオリジナルＨＴＭＬ文書から抽出する。抽出するタグ命令は動画像が最大のもの１個である。
【００４５】
表示サイズの第２の許容範囲（第２の簡易化書式）を以下に説明する。
（１）オリジナルＨＴＭＬ文書で規定された表示の文字列の中で以下の条件（許容範囲）に合致する文字列およびその文字列を表示するためのタグ命令がオリジナルＨＴＭＬ文書から抽出されて変更後のＨＴＭＬ文書に記載される。
・オリジナルＨＴＭＬ文書のヘッダ部分の文字列を抽出し、抽出する文字列は２５文字以内に制限する。
・オリジナル文書中で定義された、表示すべき文字列の大きさが、所定の大きさを超える場合、たとえば、Ｈ１〜Ｈ２の範囲にある文字列をオリジナルＨＴＭＬ文書から抽出する。抽出する文字列の組数は４組に制限する。また、個々の文字列の文字数は３０文字以内に制限する。
・１００文字を超える文字列については文字列の先頭から１００文字まで抽出する。抽出する文字列の組数は１までとする。抽出された文字列が変更後のＨＴＭＬ文書に記載される。
・抽出した文字列の文字の大きさは１４ポイントとする。この大きさは奥に表示するＷＥＢページ中の文字の方が手前に表示されるＷＥＢページよりも大きく変更されることに留意されたい。
【００４６】
（２）静止画像は、オリジナルＨＴＭＬ文書から次のように抽出して変更後のＨＴＭＬ文書に記載する。
・静止画像をＷｅｂサーバ１０から呼び出すためのタグ命令（ｉｍａｇタグ）の中の幅および高さに関する数値が“１００”以上であるタグ命令を抽出する。抽出するタグ命令の個数はサイズの大きい順で２つに制限する。なお、縦横比が所定値以上の静止画像（広告画像）を呼び出すためのタグ命令を変更後のＨＴＭ文書中に記載しないようにしてもよいこと勿論である。
・ｉｍａｇタグ命令の中に幅および高さを規定する数値がオリジナルＨＴＭＬ文書中に記載されていない場合にはオリジナルＨＴＭＬ文書の先頭から２つのｉｍａｇタグ命令を抽出する。
・１つの静止画像のサイズが２００ドット×２００ドット以上の場合には、ｉｍａｇタグ命令で呼び出す静止画像を２００ドット×２００に縮小する。
【００４７】
（３）動画像については以下のようにしてオリジナルＨＴＭＬ文書から抽出して変更後のＨＴＭＬ文書に記載する。
・呼び出した動画像自体が持つ表示サイズ情報（幅および高さ）あるいは、タグ命令が有する表示サイズ情報に基づいて表示サイズが２００ドット×２００ドット以上の動画像を表示させるべく、そのためのタグ命令をオリジナルＨＴＭＬ文書から抽出する。抽出するタグ命令は動画像が最大のもの１個である。
【００４８】
以上のような簡易化書式を使用して表示する場合のＷｅｂページの表示の相違を図５に示した。図５（ａ）は、オリジナルＨＴＭＬ文書のＷｅｂページの表示状態を示す。図５（ｂ）は簡易書式１の許容範囲を図形で示している。図５（ｃ）は図５（ａ）のオリジナルＨＴＭＬ文書に対して図５（ｂ）の許容範囲を適用して、オリジナルＨＴＭＬ文書を変更した場合の変更後のＨＴＭＬ文書のタグ命令の表示サイズに関連するパラメータ部分の内容を示す。
【００４９】
図５（ｄ）は変更後のＨＴＭＬ文書に基づいてＷｅｂページを３Ｄ表示した状態を模式的に示す。
【００５０】
図５（ｅ）は簡易書式２の許容範囲を図形で示している。図５（ｆ）は図５（ａ）のオリジナルＨＴＭＬ文書に対して図５（ｅ）の許容範囲を適用して、オリジナルＨＴＭＬ文書を変更した場合の変更後のＨＴＭＬ文書のタグ命令の表示サイズに関連するパラメータ部分の内容を示す。
【００５１】
図５（ｇ）は変更後のＨＴＭＬ文書に基づいてＷｅｂページを３Ｄ表示した状態を模式的に示す。
【００５２】
図５（ｄ）の表示はモニタ１４０の表示画面の手前に３Ｄ表示され、図５（ｇ）は表示画面の奥側に３Ｄ表示される。比較すると分かるように奥側に表示されるコンテンツは、コンテンツ数が少なくなっているので、ユーザは見やすいものとなる。図ではわからないが、文字列コンテンツの文字は手前に表示される文字列コンテンツの文字よりもサイズが大きく表示の文字数も少ないので、ユーザに見やすいものとなっている。
【００５３】
上述の実施形態の他に次の形態を実施できる。
１）上記実施形態は、本発明に係わり、Ｗｅｂページの表示サイズが許容範囲に収まるようにＷｅｂページのＨＴＭＬ文書のタグ命令およびそのタグ命令で使用するコンテンツを変更している。しかしながら、ＷｅｂページをＨＴＭＬ文書以外の、たとえば、ＸＭＬなどの他のマークアップランゲージ文書に本発明を適用してもよい。
２）上記実施形態では３Ｄ表示端末でＨＴＭＬ文書およびその文書で使用するコンテンツを縮小／拡大する例を示したが、３Ｄ表示端末に限らず、サーバや、単一使用（スタンドアローン）の情報処理装置に本発明を適用してもよい。
また、Ｗｅｂページの表示は３Ｄ表示に限らず，２Ｄ表示としてもよい。
３）抽出する文字列の文字数を短縮するために上記実施形態では、先頭から所定位置までの文字までを抽出しているが、文章の要約を作成する情報処理技術を使用して、ＨＴＭＬ文書中の長い（所定文字数以上の）文章を短い文章（要約）に短縮してもよい。
４）上述の第２の実施形態では奥に表示するＷｅｂページには第２の簡易化書式を使用してオリジナルＨＴＭＬ文書を変更したが、手前または奥に表示するＨＴＭＬ文書について、Ｗｅｂページの矩形の大きさが所定の表示サイズ、たとえば、図６（ａ）および（ｂ）に示すように７００×７００を超える大きさの場合には第１の簡易化書式を使用し、表示サイズが７００×７００以下の場合には第２の簡易化書式を使用するというように、Ｗｅｂページの大きさ（ＨＴＭＬ文書中で規定）に応じて異なる簡易化書式を使い分けてもよい。このための処理は図４の表示サイズ算出部３１０で実行すればよい。各コンテンツがモニタ１４０に表示された後，端末ユーザにより表画面上のコンテンツの位置や、表示サイズの大きさを変更することがある。３Ｄ表示部１２０で１／３０秒ごとに画面の書き換えを行う場合、表示算出部１２０はコンテンツの座標位置および現在の表示サイズを３Ｄ表示部１２０から受取り、変更後のコンテンツの表示サイズをオリジナルＨＴＭＬ文書のコンテンツの表示サイトみなして上述の簡易書式に合致するように３Ｄ表示のために使用するＨＴＭＬ文書を変更するとよい。
【００５４】
【発明の効果】
以上、説明したように、請求項１、４の発明によれば、表示対象のＷｅｂページのコンテンツの表示サイズを許容範囲に収まるようにタグ命令およびコンテンツそのものを変更するので、コンテンツの表示が見やすいものと（可読性が高く）なる。
【００５５】
また、請求項２、５の発明によれば、たとえば、重要と思われるコンテンツについては表示サイズや文字の大きさに特徴が現れるので、不要なコンテンツを削除することにより、重要なコンテンツを残して表示することも可能となる。
【００５６】
さらに請求項３、６の発明によれば、Ｗｅｂコンテンツを３Ｄ表示する場合に、表示画面上の奥に表示するＷｅｂコンテンツは従来例では見にくくなるので、それらのＷｅｂコンテンツを変更することにより、Ｗｅｂコンテンツが見やすいものとなる。
【図面の簡単な説明】
【図１】従来例の処理内容を示すブロック図である。
【図２】本発明第１の実施形態の処理内容を示すブロック図である。
【図３】本発明第１の実施形態の処理内容を示す説明図である。
【図４】本発明第２の実施形態の処理内容を示すブロック図である。
【図５】本発明第２の実施形態の処理内容を示す説明図である。
【図６】他の実施形態の処理内容を示す説明図である。
【図７】ＨＴＭＬ簡易化部の処理内容を示すフローチャートである。
【符号の説明】
１０　Ｗｅｂサーバ
２０　インターネット
１００、２００、３００　３Ｄ表示端末
１１０　画像要求処理部
１２０　３Ｄ表示部
２１０　ＨＴＭＬ簡易化部
２２０　３Ｄ形式変換部
【図１】
2004062465.tif 000003
【図２】
2004062465.tif 000004
【図３】
2004062465.tif 000005
【図４】
2004062465.tif 000006
【図５】
2004062465.tif 000007
【図６】
2004062465.tif 000008
【図７】
2004062465.tif 000009